【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
動的インタラクティブコンテンツシステムであって、
メインコンテンツ及び前記メインコンテンツと関連する補足コンテンツの受信が可能な受信機を有し、各補足コンテンツエントリは前記関連のメインコンテンツエントリのプロパティを記述するデータを含むものであって、
複数のメインコンテンツエントリ及び関連の補足コンテンツエントリの記録が可能な、前記受信機と接続されているパーシステントストレージ、及び
前記記録された複数の補足コンテンツエントリから特定のプロパティを検索し、前記検索されたプロパティを持つ前記特定の補足コンテンツエントリと関連するメインコンテンツエントリの少なくとも一部を実行されたインタラクティブアプリケーションのプレゼンテーションとともにプレゼンテーションするために提供する、インタラクティブアプリケーションの実行が可能なプロセッサを有す、動的インタラクティブコンテンツシステム。
【請求項２】
前記データが、関連のメインコンテンツを受信するために利用されるチャンネルを定義するチャンネル定義を含む、請求項１記載の動的インタラクティブコンテンツシステム。
【請求項３】
前記データが、前記関連のメモリコンテンツが受信された時間を定義する時間定義を含む、請求項１記載の動的インタラクティブコンテンツシステム。
【請求項４】
前記データが、前記関連のメインコンテンツに含まれる特定のイベントに対し、時間コードを含む、請求項１記載の動的インタラクティブコンテンツシステム。
【請求項５】
前記動的アプリケーションが、前記時間コードにより特定される前記メインコンテンツのエントリ位置において開始するメインコンテンツデータをプレゼンテーションする、請求項４記載の動的インタラクティブコンテンツシステム。
【請求項６】
前記補足コンテンツが、インターネット経由で受信される、請求項１記載の動的インタラクティブコンテンツシステム。
【請求項７】
前記補足コンテンツが、メインコンテンツを送信するために利用される信号に組み込まれる、請求項１記載の動的インタラクティブコンテンツシステム。
【請求項８】
動的インタラクティブコンテンツシステムであって、
メインコンテンツ及び前記メインコンテンツと関連する補足コンテンツの受信が可能な受信機を有し、各補足コンテンツエントリは前記関連のメインコンテンツエントリのプロパティを記述するデータを含むものであって、
複数のメインコンテンツエントリ及び関連の補足コンテンツエントリの記録が可能な、前記受信機と接続しているパーシステントストレージ、
ユーザー入力デバイスを介してユーザーの要求を受信できる、前記ユーザー入力デバイスと接続しているオペレーショナルリクエストソース、及び
受信したユーザーの要求に関連する特定のプロパティに対して、前記記録された複数の補足コンテンツエントリを検索し、検索されたプロパティを持つ前記特定の補足コンテンツエントリと関連する前記メインコンテンツエントリの少なくとも一部をプレゼンテーションのために提供する、前記パーシステントストレージデバイス及び前記オペレーショナルリクエストソースと接続しているプロセッサを有す、動的インタラクティブコンテンツシステム。
【請求項９】
前記プロセッサが更に、動的アプリケーションを実行できる、請求項８記載の動的インタラクティブコンテンツシステム。
【請求項１０】
前記インタラクティブアプリケーションが、特定のプロパティに対し、記録された複数の補足コンテンツエントリを検索し、かつ、前記インタラクティブアプリケーションが、検索されたプロパティを持つ前記特定の補足コンテンツエントリと関連する前記メインコンテンツエントリの少なくとも一部を実行されたインタラクティブアプリケーションのプレゼンテーションとともにプレゼンテーションするために提供する、請求項９記載の動的インタラクティブコンテンツシステム。
【請求項１１】
前記データが、前記関連のメインコンテンツに含まれる特定のイベントに対して時間コードを含む、請求項１０記載の動的インタラクティブコンテンツシステム。
【請求項１２】
前記インタラクティブアプリケーションが、前記時間コードにより特定される前記メインコンテンツエントリの位置において開始するメインコンテンツデータをプレゼンテーションする、請求項１０記載の動的インタラクティブコンテンツシステム。
【請求項１３】
動的インタラクティブコンテンツを提供する方法であって、
複数のメインコンテンツ及び前記メインコンテンツと関連する補足コンテンツを受信し、各補足コンテンツエントリは関連するコンテンツエントリのプロパティを記述するデータを含むものであって、
前記複数のメインコンテンツと前記関連の補足コンテンツを記録し、
特定のプロパティに対して、前記複数の補足コンテンツを検索し、
前記検索されたプロパティを持つ前記特定の補足コンテンツと関連する前記メインコンテンツを、インタラクティブアプリケーションのいくつかの実行が、ユーザー入力に応答して開始される、実行されたインタラクティブアプリケーションのプレゼンテーションとともにプレゼンテーションするために、提供するオペレーション、を含む方法。
【請求項１４】
前記補足コンテンツが、補足コンテンツデータベースと関連するインデックスを含む、インターネット上のウエブサイトを経由して受信される、請求項１３記載の方法。
【請求項１５】
適切な補足コンテンツエントリを得るために前記インデックスを使用して前記補足コンテンツデータベースを検索するオペレーションを更に含む、請求項１４記載の方法。
【請求項１６】
前記データが、関連のメインコンテンツを受信するために利用されるチャンネルを定義するチャンネル定義、及び前記関連のメインコンテンツが受信された時間を定義する時間定義、の双方を含む、請求項１３記載の方法。
【請求項１７】
前記データが、受信された前記関連のメインコンテンツに含まれる特定のイベントに対する時間コードを含む、請求項１３記載の方法。
【請求項１８】
前記インタラクティブアプリケーションが、前記時間コードにより特定された前記メインコンテンツエントリの位置において開始するメインコンテンツデータをプレゼンテーションする、請求項１７記載の方法。
【請求項１９】
動的インタラクティブコンテンツを提供するために、コンピュータ可読媒体に組み入れられたコンピュータプログラムであって、
複数のメインコンテンツ及び前記メインコンテンツと関連する補足コンテンツを受信するコードセグメントを有し、各補足コンテンツエントリは前記関連のメインコンテンツエントリのプロパティを記述するデータを含むものであって、
前記複数のメインコンテンツ及び前記関連の補足コンテンツを記録するコードセグメント、
特定のプロパティに対し、複数の補足コンテンツを検索するコードセグメント、および
実行されたインタラクティブアプリケーションのプレゼンテーションとともにプレゼンテーションのために検索されたプロパティを持つ、前記特定の補足コンテンツと関連する前記メインコンテンツを提供するコードセグメントであり、前記インタラクティブアプリケーションのいくつかの実行は、ユーザー入力に応答して開始される、コンピュータプログラム。
【請求項２０】
前記補足コンテンツが、補足コンテンツデータベースと関連するインデックスを含む、インターネット上のウエブサイトを経由して受信される、請求項１９記載のコンピュータプログラム。
【請求項２１】
適切な補足コンテンツエントリを得るために前記インデックスを使用して、前記補足コンテンツデータベースを検索するコードセグメントを更に含む、請求項２０記載のコンピュータプログラム。
【請求項２２】
前記データが、関連のメインコンテンツを受信するために利用されるチャンネルを定義するチャンネル定義、及び前記関連のメインコンテンツが受信された時間を定義する時間定義、の双方を含む、請求項１９記載のコンピュータプログラム。
【請求項２３】
動的インタラクティブコンテンツを提供するためのコンピュータプログラムであって、
複数のメインコンテンツ及び前記メインコンテンツと関連する補足コンテンツを記録するためのプログラム命令を有し、各補足コンテンツエントリは前記関連のメインコンテンツエントリのプロパティを記述するデータを含むものであって、
特定のプロパティに対し、複数の補足コンテンツを検索するためのプログラム命令を有し、
前記実行されたインタラクティブアプリケーションのプレゼンテーションとともにプレゼンテーションのために検索されたプロパティを持つ、前記特定の補足コンテンツと関連する前記メインコンテンツを提供するためのプログラム命令を有し、前記インタラクティブアプリケーションのいくつかの実行は、ユーザー入力に応答して開始される、コンピュータプログラム。
【請求項２４】
前記データが、受信された前記関連のメインコンテンツに含まれる特定のイベントに対する時間コードを含む、請求項２３記載のコンピュータプログラム。
【請求項２５】
前記インタラクティブアプリケーションが、前記時間コードにより特定されるメインコンテンツエントリの位置において開始する、メインコンテンツデータをプレゼンテーションする、請求項２３記載のコンピュータプログラム。